Podtech/llm-jp-corpus-v4-ja_patent huggingface dataset:
(57)【要約】【課題】本発明は、老人や療養した人、身体障害の人の歩行の補助を担うサポート器具に関する技術を提供する。【解決手段】アーム（４）の先端にパット（３）を設け、さらにアーム（４）の中央部に止部（２）を設ける。さらにコイル押バネ（６）の中空部分にサポートバー（９）を通したものを内蔵させた、押バネパイプ（７）を設ける。このサポートバー（９）の先端を止部（２）に固定する。つぎにアーム（４）の後端に可動支点（１）を設けて、ここに支持バー（１０）の先端を可動支点（１）の軸が回るように設ける。最後に面ファスナー付の固定ベルト（８）で、押バネパイプ（７）の上部および下部に、利用者の足と共に固定し装着する、【選択図】図１
2017205473.tif 000002
【特許請求の範囲】
【請求項１】
アーム（４）の先端にパット（３）を設け、さらにアーム（４）の中央部に止部（２）を設け、さらにコイル押バネ（６）の中空部分にサポートバー（９）を通したものを内蔵させた、押バネパイプ（７）を設け、このサポートバー（９）の先端を止部（２）に固定する、つぎにアーム（４）の後端に可動支点（１）を設けて、ここに支持バー（１０）の先端を可動支点（１）の軸が回るように設ける、最後に面ファスナー付の固定ベルト（８）で、押バネパイプ（７）の上部および下部に、利用者の足と共に固定し装着する、このような特徴なる、キックサポート。
【発明の詳細な説明】
【技術分野】
【０００１】  本発明は、老人や病療養の人、また身体障害の人等の歩行の補助を担うサポート器具に関する。
【背景技術】
【０００２】  従来から、重量物を持っての歩行補助等の、ロボット機能を使ったメカニックを身体に取付けたものや、特許登録ＮＯ．４９８１１８８のごとく、弾性部材（ゴム等）を使ったもの等があった。
【発明が解決しようとする課題】
【０００３】  現在、作業用としてロボット技術を利用したものが開発されているが、どれも、健常者の作業員が重量物製品を扱う目的に、使用されている。
また、特許登録ＮＯ．４９８１１８８は健常者が、身体を鍛えるのに都合良く形成されている。しかし本発明は、脚力がすでに弱っている人たちに利用される事を目的に、開発されたものである。
これらの問題点を改善し、今までにない有効な本発明がなされたのである。
【課題を解決するための手段】
【０００４】  本発明はまさに簡単な構成で形成されている。以下解決手段を説明する。
まず図１のごとく、アーム（４）の先端部に、使用者の足にフィットさせる、パット（３）を設け、アーム（４）の中間部に止部（２）を設ける。さらに可動支点（１）をアーム（４）の後端部に設け、ここに支持バー（１０）の先端部を、可動支点（１）の軸に係止して設ける。さらに止部（２）に対して、コイル押バネ（６）の中空部にサポートバー（９）を挿入して、さらにこれを押バネパイプ（７）の中空部に挿入したものを固定して設ける。最後に固定ベルト（８）で、押バネパイプ（７）の上部および下部に使用者の足と共に、固定して装着する。固定ベルトは面ファスナーで固定すると良い。
このような特徴よりなる、キックサポートである。
【発明の効果】
【０００５】  老人や、脚力が無い人等でも歩行のキック力が向上して、散歩が楽になった
【発明を実施するための最良の形態】
【０００６】  アーム（４）の先端部に、使用者の足にフィットするパット（３）を設ける。またアーム（４）の中央部に止部（２）を設ける。つぎに予め、コイル押バネ（６）の中空部分にサポートバー（９）を挿入して設け、このようなコイル押バネ（６）をさらに押バネパイプ（７）の内部に、サポートバー（９）が上下動できる状態で内臓させて設ける。つぎにこのサポートバー（９）の先端部を止部（２）に固定する。そうしてつぎにアーム（４）の後端部に、完全に固定せず回転できる、可動支点（１）を設けこの可動支点（１）に、支持バー（１０）の先端部を係止する。最後に面ファスナー付の固定ベルト（８）で、利用者の足と共に、押バネパイプ（７）の上部と下部に固定して装着する。
本発明は、以上のような構成であり、これを使用実施するときには、【０００７】  足と共に、面ファスナー付の固定ベルト（８）で、固定する。歩行時に足の膝が曲がると、パット（３）と共にアーム（４）が可動支点（１）を軸に、止部（２）が、曲げ圧縮力（５）で、下方向に押され、これに連動されているコイル押バネ（６）が下方向に圧縮されて、サポートバー（９）も下向きに押されて、踵が少しでも上がると、図１のごとく靴底より飛び出してくる。つぎに足の膝が伸びて来ると踵も降りて、図２のごとくアーム（４）に、サポートバー（９）の力も上方に働き、コイル押バネ（６）の強い、戻り反発力（１１）が働き、可動支点（１）を軸に、上方向に、戻り反発力（１１）がパット（２）に働き、足に程良い補助力が働き軽快に歩行できる。
【図面の簡単な説明】
【０００８】
【図１】本発明の足の膝が曲がっている時の装着図である。
【図２】本発明の足の膝が伸びている時の装着図である。
【符号の説明】
【０００９】  １  可動支点
２  止部
３  パット
４  アーム
５  曲げ圧縮力
６  コイル押バネ
７  押バネパイプ
８  固定ベルト
９  サポートバー
１０  支持バー
１１  戻り反発力
【図１】
2017205473.tif 000003
【図２】
2017205473.tif 000004
(57)【要約】【課題】  粉ミルクの必要量を簡易的に哺乳瓶に移すことができる道具を提供する。【解決手段】  筒に目盛りを刻み、筒の中に入れる押し出し棒を設け、粉ミルクの必要量を筒の中に押し出し棒末端まで詰め込み、それを哺乳瓶に簡易的に移せる粉ミルク計量器具である。【選択図】図１
2017205468.tif 000002
【特許請求の範囲】
【請求項１】
筒に目盛りを刻み筒の中に入れる押し出し棒を設け、その押し出し棒の上部を太くし握りを設け、粉ミルクの必要量を取り出し、哺乳瓶の中に移し入れることを特徴とする粉ミルク計量器具。
【発明の詳細な説明】
【技術分野】
【０００１】  本発明は、筒に目盛りを刻み、簡易的に計量でき哺乳瓶に移すことができる粉ミルク計量器に関するものである。
【背景技術】
【０００２】  従来、粉ミルクを計量するスプーンがあった。
【発明の開示】
【発明が解決しようとする課題】
【０００３】  そのために、次のような問題点があった。
（イ）粉ミルク計量スプーンの時は、何杯入れたのか分からなくなることがあった。
（ロ）哺乳瓶の口が狭く、こぼすことがあった。
本発明は、これらの問題点を解決するためになされたものである。
【課題を解決するための手段】
【０００４】  筒に目盛りを刻み、その筒の中に入れる押し出し棒を設ける。押し出し棒の上部握り部分を太くする。以上を特徴とする粉ミルク計量器具である。
【発明の効果】
【０００５】  粉ミルク計量中に話しかけられたり席をはずしたりして、何杯入れたか分からなくなっても目盛りがあるので直ぐに分かり溢さずに入れられる。
【発明を実施するための手段】
【０００６】  以下、本発明の実施の形態について説明する。
（イ）筒（１）に目盛り（２）を設ける。
（ロ）筒（１）の中に入れる押し出し棒（３）を設ける。
（ハ）押し出し棒（３）の上部に太い握り部分（４）を設ける。
本発明は以上のような構成で、これを使用するときは、筒（１）を手に取り、握り部分（４）を持って、押し出し棒（３）の末端を目盛り（２）まで引き、粉ミルク（５）に筒（１）を垂直に数回突き入れ、筒（１）の中に必要量を詰め込む。
その筒（１）を哺乳瓶（６）の中に入れ、押し出し棒（３）の握り部分（４）を押して粉ミルク（５）を哺乳瓶（６）の中に押し出して使用する。
【図面の簡単な説明】
【０００７】
【図１】  本発明の斜視図
【図２】  本発明の動作図
【図３】  本発明の作用図
【図４】  本発明の使用図
【符号の説明】
【０００８】  １  筒
２  目盛り
３  押し出し棒
４  握り部分
５  粉ミルク
６  哺乳瓶
【図１】
2017205468.tif 000003
【図２】
2017205468.tif 000004
【図３】
2017205468.tif 000005
【図４】
2017205468.tif 000006
(57)【要約】【課題】  旅先の旅館やホテルなどで、スリッパが散乱しているのを見て考えたものである。脱ぎっぱなしのスリッパを見るだけでイメージダウンとなり、暗がりなどでは特に履くのが困難である。また、雨などでぬれて乾きが悪いと履く気持ちが無くなってしまう。  本発明は、以上の問題点を解決する両面突っ掛け下駄である。【解決手段】  突っ掛けの両方に鼻緒（１）を設け、木製の底部（２）の中心に膨らみを設け履きやすくし、下駄と足の接地面（６）には横方向に溝を設け密着性と通気性を良くした両面健康突っ掛け下駄を提供するものである。【選択図】図１
2017205465.tif 000002
【特許請求の範囲】
【請求項１】
突っ掛け両方に鼻緒（１）を設け、木製の底部（２）の中心（３）に膨らみを設け、下駄と足の接地面（６）には横方向に溝を設けた両面健康突っ掛け下駄。
【発明の詳細な説明】
【技術の分野】
【０００１】  本発明は、トイレ、外庭、ベランダなどにおいて、両方から履ける両面健康突っ掛け下駄に関するものである。
【背景の技術】
【０００２】  従来の突っ掛け下駄は、一方向から履くのが一般的であり、鼻緒の方を前面に揃えておくのが現実である。
【先行技術文献】
【特許文献】
【０００３】
【特許文献１】  特開２００３−１０２５０１号公報
【特許文献２】  特開平８−１１２１０１号公報
【発明の概要】
【発明が解決しようとする課題】
【０００４】  これは次のような問題点があった。
（イ）旅先の旅館、ホテルなどで、トイレなどのスリッパが散乱しているのを見て考えたものである。
（ロ）トイレ、外庭、ベランダなどで特に暗がりでは、スリッパを履くのが困難であった。
（ハ）脱ぎっぱなしのスリッパのため、だらしがないと注意されることが多くあった。
（ニ）一度雨にぬれると乾きが悪く、スリッパでは足を入れると不衛生に感じる。
本発明は以上のような問題点を解決するためのものである。
【課題を解決するための手段】
【０００５】  突っ掛けの両方に鼻緒（１）を設け鼻緒止めピン（４）で止め、木製の底部（２）の中心（３）に膨らみを設け、突っ掛け下駄の幅は両方同じ幅にして、下駄と足の接地面（６）には溝を施し密着性と通気性をよくし、底面（５）には滑り止めを設ける。
以上の構成によりなる両面健康突っ掛け下駄。
【発明の効果】
【０００６】（イ）行き来の両面突っ掛け下駄の位置は、いつも前後左右同じである。
（ロ）脱ぎっぱなしでも、そのまま下駄がそろっている。
（ハ）とくに、トイレ、外庭、ベランダなどでよい履き心地が発揮でき、実に楽しく快適性を高める履物である。
（ニ）突っ掛け下駄の中心部のふくらみの表面には溝加工を施しており、足裏のつぼを刺激し快適である。
（ホ）木製で通気性と密着性が良く、水洗いもできていつも清潔である。
【図面の簡単な説明】
【０００７】
【図１】  本発明の側面図である。
【図２】  本発明の平面図である。
【図３】  本説明の斜視図である。
【発明を実施するための形態】
【０００８】  以下、本発明の実施の形態を説明する。
突っ掛けの両方に鼻緒（１）設け、鼻緒止めピン（４）で止める。木製の底部（２）中心（３）に膨らみを持たせ幅は前後同じとし、下駄と足の接地面（６）には溝を施し密着性と通気性を良くして、底部（５）にはスベリ止めを設けた。
本発明を使用するときは
（イ）通気性と密着性をよくするため、木製の突っ掛け（２）とする。
（ロ）木製の側部にゴム製合成樹脂の鼻緒（１）を突っ掛けの前後に設け、鼻緒ピンで止め、どちらからでも履けるようにした。
（ハ）底部（２）の中心に膨らみ（３）を設けることにより、足のつぼを刺激して通気性と快適性をより高めることになる。
（ニ）底部（２）の幅は双方同じであり、底部（６）の横方向に波を打っている溝は、足のスベリ止めと密着性を高めるものである。
【符号の説明】
【０００９】  １  ゴム製合成樹脂の鼻緒
２  木製の底部
３  膨らみ
４  鼻緒止めピン
５  スベリ止め
６  溝
７  両面健康突っ掛け下駄使用状態図
【図１】
2017205465.tif 000003
【図２】
2017205465.tif 000004
【図３】
2017205465.tif 000005
(57)【要約】【課題】  机上で簡易コップに飲み物を注ぐとき、転倒防止に簡易コップの外側に嵌める筒に切り込みを設け、切り込みの作用で簡易コップの安定性を良くした簡易コップ転倒防止スタンドを提供する。【解決手段】  簡易コップの外側に嵌める筒（１）を設け、筒（１）の端に切り込み（２）を設けた簡易コップ転倒防止スタンドを特徴とする。【選択図】図１
2017205464.tif 000002
【特許請求の範囲】
【請求項１】
簡易コツプの外側に嵌める筒（１）を設け、筒（１）の端に切り込み（２）を設けた簡易コップ転倒防止スタンド。
【発明の詳細な説明】
【技術分野】
【０００１】  この発明は、机上で簡易コップを使用するとき、簡易コップの外側を支え安定性を良くする簡易コップ転倒防止スタンドに関するものである。
【背景技術】
【０００２】  従来、机上で簡易コップに飲み物を注ぐとき、安定性がよくなかった。
【発明の開示】
【発明が解決しようとする課題】
【０００３】  これは次のような欠点があった。
従来、簡易コップは、紙やプラスチックなど軽い素材で作られており、簡易コップに飲み物を入れると重心が高くなり、不安定になって軽く触れただけで倒れることがあった。
本発明は、以上のような欠点をなくすためになされたものである。
【課題を解決するための手段】
【０００４】  簡易コップの外側に嵌める筒（１）を設け、筒（１）の端に切り込み（２）を設ける。
本発明は、以上の構成よりなる簡易コップ転倒防止スタンドである。
【発明の効果】
【０００５】  机上で筒の切り込みを設けた端を上にして筒を立て、簡易コップを底を下にして筒の上から中に入れ、底を下に着けて飲み物を注ぐと、簡易コップの外側の中間に位置する筒の切り込み部分が外側に押され、同時に反発力が働き、簡易コップが締め付けられ安定する。筒全体で簡易コップを支え、飲み物を注ぐと簡易コップに触れても簡単に倒れることはない。簡易コップに飲み物を注いだ後、その状態で手に持って飲めて便利である。
【発明を実施するための最良の形態】
【０００６】  以下、本発明を実施するための最良の形態について説明する。
簡易コップと同じ、又はそれに近い素材で、簡易コップを上下半分に分け、上半分の両端に大小の穴のある筒と、同じ寸法、同じ形状の筒（１）を設ける。
筒（１）の小さい穴の端に、切り込み（２）を、一方の大きい穴の端に向け、５ｍｍ程の長さで数か所、間隔を均等に設ける。
切り込み（２）を設けた筒（１）の小さい穴の端から、簡易コップを底の方から筒（１）の中に入れ、簡易コップの底が筒（１）の大きい穴の端と揃うように、切り込み（２）で調整する。
本発明は、以上のような構造である。
これを使用するときは、机上で切り込み部分の端を上にして筒を立て、簡易コップを底から筒の中に入れ、傾かないように簡易コップの底を下に着け、筒に嵌めて飲み物を注ぐ。注ぎ終われば、その状態で手に持って飲めば良い。
【図面の簡単な説明】
【０００７】
【図１】  本発明の斜視図である。
【符号の説明】  １  筒
２  切り込み
【図１】
2017205464.tif 000003
(57)【要約】【課題】ボールポイントを有する六角棒スパナや差し替え式ボールポイントに球状部を設けることで、ボルトに対してボールポイントを有する六角棒スパナや差し替え式ボールポイントを傾斜させて使用可能であるが、過度な力で使用するとくびれの部分でねじ切れてしまい、ボルトの穴の中に球状部が残ってしまう事があり、破片の除去が困難であった。【解決手段】ボールポイントを有する六角棒スパナや差し替え式ボールポイントに、球状部を設けることでねじ切れやすくなってしまったくびれよりも、ねじ切れやすい破損用箇所を設ける、過度な力かかった場合に破損用箇所がねじ切れるようにして、球状部に突出部を残すことで破片につかみしろとなる突出部が残るため、破片の取り出しが容易になる。【選択図】図１
2017205851.tif 000002
【特許請求の範囲】
【請求項１】
球状部付近のくびれよりもねじ切れやすい破損用箇所を設け、破損してしまった破片につかみしろとなる突出部が残るボールポイント。
【請求項２】
破損用箇所として球状部付近のくびれよりねじ切れやくするための凹みを入れたボールポイント
【請求項３】
破損用箇所として球状部付近のくびれよりねじ切れやすくするために接合構造としたボールポイント。
【発明の詳細な説明】
【技術分野】
【０００１】    本発明は、破損時に破片の回収が容易なボールポイントを有する六角棒スパナや差し替え式ボールポイントに関するものである。
【背景技術】
【０００２】ボールポイントを有する六角棒スパナや差し替え式ボールポイントに球状部１ａを設けることで、ボルト１ｂに対してボールポイントを有する六角棒スパナや差し替え式ボールポイントを傾斜させて使用可能である。【０００３】  ボールポイントを有する六角棒スパナや差し替え式ボールポイントを過度な力で使用するとくびれ２ａの部分でねじ切れてしまい、ボルト１ｂの穴の中に球状部１ａが残ってしまう。
【発明の概要】
【発明が解決しようとする課題】
【０００４】解決しようとする問題点は、ボルト１ｂの穴の中に残ってしまった球状部１ａが取り出しが困難になる点である。
【課題を解決するための手段】
【０００５】本発明は、ボルト１ｂの穴の中に残ってしまった球状部１ａに突出部を残すようにする。
【発明の効果】
【０００６】本発明のボールポイントを有する六角棒スパナや差し替え式ボールポイントは、破片につかみしろとなる突出部が残るため、破片の取り出しが容易になるという利点がある。
【図面の簡単な説明】
【０００７】
【図１】本発明の形態を示す図面である。
【発明を実施するための形態】
【０００８】ボールポイントを有する六角棒スパナや差し替え式ボールポイントに球状部１ａを設けることでねじ切れやすくなってしまったくびれ２ａよりも、ねじ切れやすい破損用箇所３ａを設ける。過度な力かかった場合に３ａ部がねじ切れるようにして、球状部１ａに突出部を残す。
【実施例１】
【０００９】破損用箇所３ａとしてくびれ２ａよりねじ切れやすくするための凹みを入れる。
【実施例２】
【００１２】破損用箇所３ａとしてくびれ２ａよりねじ切れやすくするための接合構造とする。
【符号の説明】
【００１３】１ａ  球状部
２ａ  くびれ
３ａ  破損用箇所
１ｂ  ボルト
【図１】
2017205851.tif 000003
(57)【要約】      （修正有）【課題】炭酸同化作用を人工的に行う方法を提供。【解決手段】アデノシン３リン酸（ＡＤＰ‐Ｐ３）を触媒として、ナトリウム（Ｎａ）と水酸化ナトリウム（ＮａＯＨ）と塩化カリウム（ＫＣｌ）と銅（Ｃｕ）を混して、さらにこれに二酸化炭素と水分を混合して得た原料から、主に澱粉質と酸素を人工的に生成する。【選択図】図１
2017205746.tif 000002
【特許請求の範囲】
【請求項１】
2017205746.tif 000004
ナトリウム（Ｎａ）と水酸化ナトリウム（ＮａＯＨ）と塩化カリウム（ＫＣｌ）と銅（Ｃｕ）を混ぜて１２分子の２酸化炭素（ＣＯ２）と１１分子の水分（Ｈ２Ｏ）から１分子の澱粉質（ＮａＲ２）と１２分子の酸素（Ｏ２）を生成するアデノシン３リン酸（ＡＤＰ‐Ｐ３）触媒とする炭酸同化作用をする前記（１）式の左辺の成分の自然界に存する二酸化炭素（ＣＯ２）と水分（Ｈ２Ｏ）を除いた成分を持つ前記（１）式の化学反応をで行う人工葉緑素体
【発明の詳細な説明】
【技術分野】
【０００１】人工葉緑素体の成分に関する。
【背景技術】
【０００２】従来は炭酸同化作用の成分の詳細が不明であった。
【発明の開示】
【発明が解決しようとする課題】
【０００３】従来は、葉緑素体の反応の詳細が不明であり、（１）式の反応に依っても（１）式の左辺の二酸化炭素（ＣＯ２）と水分（Ｈ２Ｏ）と銅（Ｃｕ）とから右辺の澱粉質（ＮａＲ２）と酸素（Ｏ２）を主成分とした炭酸同化作用が完結するか不明であるという欠点があった。
【課題を解決する手段】
【０００４】式（１）による。
【発明の効果】
【０００５】当該人工葉緑素体により、大気中の二酸化炭素（ＣＯ２）を減少させ、ベンゼン環を有する栄養源である澱粉質（ＮａＲ２）を生成し、かつ、酸素（Ｏ２）を多量に生成することができる。
即ち、当該人工葉緑素体により、自然界に存する葉緑素の働きを疑似的になし得る。
【実施例１】
【０００６】人工葉緑素体の反応は
2017205746.tif 000003
式は反応式の例であり、（１）式の左辺の内、自然界に存する二酸化炭（ＣＯ）と、水分（Ｈ２Ｏ）を除いた成分を含む人工葉緑素体と自然界の葉緑素体と同一の反応をする。
【図面の簡単な説明】
【００１０】
【図１】図１は飽和ベンゼン環を有するカルボン酸回路を経た、有機物の化学構造式である。
【符号の簡単な説明】
【００１１】Ｃは炭素である。
ＣＯ２は二酸化炭素である。
Ｎａはナトリウムである。
ＮａＯＨは水酸化ナトリウムである。
ＮａＣｌは塩化ナトリウムである。
Ｈは水素である。
Ｏは酸素である。
Ｈ２Ｏは水分である。
ＮａＲ２は澱粉質である。
ＲはＣ１２Ｈ２２Ｏ１１である。
ＡＤＰ‐Ｐ３はアデノシン三リン酸である。
ＡＤＰ‐Ｐ２はアデノシン二リン酸である。
ＡＤＰ‐Ｐ１はアデノシン一リン酸である。
ＫＣｌは塩化カリウムである。
Ｃｕは銅である。
ＫＯＨは水酸化カリウムである。
Ｃｕ２Ｏは過酸化銅である。
ｅ‐は電子である。
【図１】
2017205746.tif 000005
(57)【要約】【課題】  本発明は、見栄えを損なうことなく、枝折れや枝垂れ、倒木、落雷等から樹木、特に桜の木を保護することができる樹木保護構造体を提供する。【解決手段】本発明は、樹木保護構造体１であって、前記樹木保護構造体１の上部に、避雷針６と、樹木の枝を上方から吊り下げる複数の吊下部材５を取り付けたことを特徴とする。【選択図】  図３
2017205025.tif 000002
【特許請求の範囲】
【請求項１】
樹木保護構造体であって、前記樹木保護構造体の上部に、避雷針と、樹木の枝を上方から吊り下げる複数の吊下部材を取り付けたことを特徴とする樹木保護構造体。
【請求項２】
前記樹木保護構造体が、支柱と梁部材を有し、前記吊下部材が前記梁部材に取り付けられていることを特徴とする請求項１に記載の樹木保護構造体。
【請求項３】
水や薬剤を散布するためのノズルを前記梁部材に設けたことを特徴とする請求項２に記載の樹木保護構造体。
【請求項４】
前記樹木が桜の木であることを特徴とする請求項１〜３のいずれか一項に記載の樹木保護構造体。
【発明の詳細な説明】
【技術分野】
【０００１】
本発明は、枝折れや枝垂れ、倒木、落雷等から樹木、特に桜の木を保護する樹木保護構造体に関する。
【背景技術】
【０００２】
観光名所や公園等の桜は、古木が多く、幹から外に向かって枝が大きく張り出している。そのため、自重や風で枝が折れたり、垂れたりしないように、枝を地面に立てた丸太等の支柱で支えている。しかし、多数の枝を支えるのに多数の丸太が使用されるため、花見のときには見栄えが悪く、鑑賞の妨げになる。また、古木の桜には歴史的、文化的な価値があり、落雷から保護することも必要である。
【先行技術文献】
【特許文献】
【０００３】
【特許文献１】特開平１１−４６６０４号公報
【特許文献２】特開２００５−１４３３８１号公報
【発明の概要】
【発明が解決しようとする課題】
【０００４】
関連する技術としては、例えば、特許文献１，２があるが、これらは樹木の転倒防止が目的であり、枝折れや枝垂れから樹木を保護するものではない。また、出願人が調べた範囲では、樹木（特に、屋外の自然木）を落雷から保護するための避雷針を開示した公知技術は存在しなかった。
【０００５】
本発明は、枝折れや枝垂れ、落雷等から樹木（特に桜）を保護する樹木保護構造体に関する。
【課題を解決するための手段】
【０００６】
本発明は、樹木保護構造体であって、前記樹木保護構造体の上部に、避雷針と、樹木の枝を上方から吊り下げる複数の吊下部材を取り付けたことを特徴とする樹木保護構造体である。
【発明の効果】
【０００７】
本発明の樹木保護構造体によれば、避雷針で樹木を落雷から保護することができ、また、吊下部材で枝を吊り下げることで枝折れや枝垂れを防止できる。吊下部材にピアノ線やケプラーなどの強くて細い材料を使用すれば、見栄えの悪化を防止できる。
【図面の簡単な説明】
【０００８】
【図１】本発明の１実施形態の樹木保護構造体１を側方から示す。
【図２】樹木保護構造体１の平面図を示す。
【図３】樹木保護構造体１の使用態様を示す。
【図４】他の実施形態の樹木保護構造体１Ａを示す。
【発明を実施するための形態】
【０００９】
図１、２は、本発明の１実施形態の樹木保護構造体１を示す。図１は、樹木保護構造体１を側方から示し、図２は、樹木保護構造体１を上方から示す。図３は、樹木保護構造体１の使用態様を示す。
【００１０】
図示の通り、樹木保護構造体１は、地面に立てた４本の支柱２と、４本の梁部材３と、４本の傾斜部材４を有する。
【００１１】
支柱２は、任意の方法で地面に固定される。例えば、図示のように、下端を地中に埋めてもよい。あるいは、下端をコンクリートブロック等で固定しても良い。梁部材３は、支柱２の上部で水平方向に取り付けられる。傾斜部材４は、支柱２の上部で斜め方向に取り付けられる。梁部材３及び傾斜部材４は、任意の方法で支柱２に固定される。例えば、ボルトや締結具を使用し、又は、填込式で固定することができる。支柱２、梁部材３及び／又は傾斜部材４は、例えば、塩ビのパイプで構成できる。鉄、木材等で支柱２、梁部材３及び／又は傾斜部材４を構成してもよい。梁部材３及び傾斜部材４の角度及び本数は例であり、他の角度、本数にしてもよい。
【００１２】
梁部材３には複数の吊下部材５が取り付けられている。吊下部材５は、高強度のピアノ線やケブラー等の細いロープを使用するとよい。細い吊下部材５を使うと、殆ど見えないので、樹木１０の見栄えを損なわずに済む。傾斜部材４の上端には、避雷針６が取り付けられている。傾斜部材４及び支柱２に導線を通して避雷針６と地面を導通させ、落雷の際の電流を地面に流すようにするとよい。樹木１０への水や防虫剤の散布のため、不図示の配管に接続したノズル７を梁部材３等に設けてもよい。
【００１３】
図３に示すように、樹木保護構造体１は、桜等の樹木１０の周辺に設置され、樹木１０の枝１１が吊下部材５で吊り下げられる。これにより、枝折れや枝垂れ、倒木等から樹木１０を保護することができる。また、避雷針６により、樹木１０を落雷から保護することができる。
【００１４】
図４は、他の実施形態に係る樹木保護構造体１Ａを示す。本例では、支柱２が１本である点を除き、樹木保護構造体１と同様の構成を有する。他の変形形態も可能であり、例えば、吊下部材５を支柱２に取り付けてもよい。その場合、梁部材３は省略可能である。また、傾斜部材４を省略し、避雷針６を支柱２に直接取り付けてもよい。
【産業上の利用可能性】
【００１５】
本発明の樹木保護構造体は、見栄えを損なうことなく、枝折れや枝垂れ、倒木、落雷等から樹木を保護することができる。本発明の樹木保護構造体は、桜の木の保護に特に有用である。
【符号の説明】
【００１６】
１・・・樹木保護構造体
２・・・支柱
３・・・梁部材
４・・・傾斜部材
５・・・吊下部材
６・・・避雷針
１０・・・樹木
１１・・・枝
【図１】
2017205025.tif 000003
【図２】
2017205025.tif 000004
【図３】
2017205025.tif 000005
【図４】
2017205025.tif 000006
(57)【要約】      （修正有）【課題】具材を内包し、味、香り及び歯応えの調和がとれた味わい深い餅の提供。【解決手段】冷却硬化しているものを、表面に焦げ目が付くほどに焼き、焼餅として食する餅であって、餅１と、じゃが芋コロッケ２と、から構成され、じゃが芋コロッケ２は、少なくとも醤油と昆布だしとを含む合わせ調味料が浸み込ませてあり、餅１で被覆されているじゃが芋コロッケを内包した餅。【選択図】図１
2017205084.tif 000002
【特許請求の範囲】
【請求項１】
冷却硬化しているものを、表面に焦げ目が付くほどに焼き、焼餅として食する餅であって、
餅と、じゃが芋コロッケと、から構成され、
前記じゃが芋コロッケは、少なくとも醤油と昆布だしとを含む合わせ調味料が浸み込ませてあり、前記餅で被覆されていることを特徴とするじゃが芋コロッケを内包した餅。
【発明の詳細な説明】
【技術分野】
【０００１】
本発明は、じゃが芋コロッケを具材として内包した餅に関する。
【背景技術】
【０００２】
従来より、餅の中に甘い具材を入れたものが食されてきた。例えば、餅の中に小豆を甘く煮た餡を入れたあんこ餅がある。また、餅の中に果物を入れた大福餅等がある。これらは間食として、つまり、補助的な食事として摂るには良いが、毎日の食事に取り入れるには適していない。
【発明の概要】
【発明が解決しようとする課題】
【０００３】
そこで、餅の中に具材として惣菜類を入れる方法があるが、惣菜類なら何でも良いというわけではなく、餅と具材とが相性の良いものでなければ、餅に具材を内包させて一体的に食することの意義は失われてしまう。従ってこれまでに、餅に内包する具材として最適な惣菜類は具体的に提案されていなかった。
なお、本発明において、餅と具材との相性は、具材を内包した餅を、表面に焦げ目が付くほどに焼いて焼餅として食した際に、餅と具材の食感や風味が、相乗的な効果を発揮し、調和のとれた美味さが感じられるか否かによって判断した。
【０００４】
本発明は、上記実情を鑑みたものであり、惣菜類の中でも餅と味や香りの相性のよいじゃが芋コロッケを具材として内包することにより、味、香り、及び歯応え等の食品全体としての調和がとれた、味わい深い餅を提供することを目的とする。
【課題を解決するための手段】
【０００５】
本発明は、冷却硬化しているものを、表面に焦げ目が付くほどに焼き、焼餅として食する餅であって、餅と、じゃが芋コロッケと、から構成され、前記じゃが芋コロッケは、少なくとも醤油と昆布だしとを含む合わせ調味料が浸み込ませてあり、前記餅で被覆されていることを特徴とする。
【発明の効果】
【０００６】
本発明のじゃが芋コロッケを内包した餅を焼いて食することで、餅とじゃが芋コロッケそれぞれの香ばしい風味が巧みに融和し、調和のとれた相乗的な深い味わいが醸し出されるため、じゃが芋コロッケ単独や餅単独では味わうことのできない、餅とじゃが芋コロッケの一体的な美味さを味わうことができる。
また、じゃが芋コロッケは醤油と昆布だしを含む合わせ調味料を浸み込ませてあるため、より餅に合う風味を醸し出し、消費者の食欲を増進させるため、毎日の食事に取り入れるのに最適な餅として提供することができる。
【図面の簡単な説明】
【０００７】
【図１】本発明の断面を示す斜視図である。
【発明を実施するための形態】
【０００８】
本発明のじゃが芋コロッケを内包した餅の製法を以下に示す。
【０００９】
じゃが芋コロッケ２は、じゃが芋を主原料とするコロッケであり、一般的な公知の製法により、じゃがいもに砂糖、食塩、胡椒で味付けをし、卵とパン粉で衣を付けた後、油で揚げることにより作られるが、じゃが芋コロッケ２は１つ当たり約３０ｇの大きさにすることが好ましい。そして、本発明においては、揚げたてのじゃが芋コロッケ２に合わせ調味料を塗し、じゃが芋コロッケ２全体に浸み込ませる。ここで、合わせ調味料とは、少なくとも醤油と昆布だしとを含むものであって、その他に砂糖、みりん、かつおだし等を含んでいてもよい。市販のものであれば、昆布つゆ（ヤマサ醤油株式会社製）を用いることが望ましい。じゃが芋コロッケ２は、後述する餅１で包む前に自然冷却させておく。じゃが芋コロッケ２が熱いうちに餅１で包むと、餅１の内部に水蒸気が閉じ込められ、じゃが芋コロッケ２の食感が損なわれるためである。また、自然冷却させることで合わせ調味料をじゃが芋コロッケ２に馴染ませることができる。
【００１０】
次に、餅１は、もち米とうるち米を１０：２の割合で混ぜ、適量の水を併せて一般的な公知の製法により作られるが、もち米とうるち米が炊き上がった後、搗く前に適量の塩を加えることで、餅１がより深い味わいになる。餅１は搗きたてで、熱く柔らかいうちにじゃが芋コロッケ２を包まなければならないため、餅１を搗く前にじゃが芋コロッケ２を用意しておくことに留意する。
もち米にうるち米を添加するのは、歯切れよく、喉に詰まらせるおそれを低減させるためである。
【００１１】
餅１が出来上がると、熱く柔らかいうちに適当な大きさに切り分け、薄く伸ばした後中央にじゃが芋コロッケ２を置き、これを包んで平面視丸形状に形を整え、自然冷却することにより、本発明のじゃが芋コロッケを内包した餅が得られる。じゃが芋コロッケを内包した餅は、一つ当たり約１００ｇの大きさが好ましい。
【００１２】
以上のように得られたじゃが芋コロッケを内包した餅は、冷却されて硬化した状態であるが、オーブントースター等の調理器具にて表面に焦げ目が付くほどに焼き、焼餅として食するものである。
【００１３】
本発明のじゃが芋コロッケを内包した餅は、上記の実施形態に限定されるものではなく、本発明の要旨の範囲内で変更可能である。
【符号の説明】
【００１４】
１    餅
２    じゃが芋コロッケ
【図１】
2017205084.tif 000003
(57)【要約】【課題】  本発明は、従来、各証明写真を切取る際、適したサイズ、位置に切取るべきなのだが、各申請書類が指定する写真の枠に対して大き過ぎたり小さ過ぎたり、又、左右に片寄っていたりと、適度な位置に納める事が難しいものであった。【解決手段】  透明性の板（１）を写真上に置き、適したサイズを各申請書類写真孔（２）〜（６）より選択し、申請書類写真孔を写真の適切な位置に合わせ、そして合せた申請書類写真孔の内側に沿ってペンなどで線を引けば写真上に切取り線の枠が書けるのである。【選択図】図１
2017205996.tif 000002
【特許請求の範囲】
【請求項１】
写真を運転免許証、履歴書、パスポート、マイナンバー等の様々な申請書類が指定する大きさに切取る際、各申請書類が指定する大きさに適したサイズの申請書類写真孔を選択し、切取る写真上に置き、適した位置に合わせれば、指定された大きさの切取り線を写真上に引くことができる写真切取り補助具。
【発明の詳細な説明】
【技術分野】
【０００１】  本発明は、撮影した証明写真を運転免許証、履歴書、パスポート、マイナンバー等の様々な申請書類が指定する大きさに切取る際、各申請書類が指定するその大きさに適したサイズ、位置に合わせれば素早く写真に切取る枠線を引くことができる写真切取り補助具に関するものである。
【背景技術】
【０００２】  従来、定規を用いて、各申請書類が指定する写真のサイズに合うように縦の切取り線を引き、横の切取り線を引いたりしている。
【発明の概要】
【発明が解決しようとする課題】
【０００３】  従来、各証明写真を切取る際、適したサイズ、位置に切取るべきなのだが、各申請書類が指定する写真の枠に対して大き過ぎたり小さ過ぎたり、又、左右に片寄っていたりと、適度な位置に納めることが難しいものであった。
本発明は、以上の問題点を解決し、写真上に適したサイズ、位置に写真を切取る範囲の枠線を引くことができるものである。
【課題を解決するための手段】
【０００４】  透明性の板（１）を写真の上に置き、適したサイズを各申請書類写真孔（２）〜（６）より選択し、選択した申請書類写真孔を写真の適切な位置に合わせ、そして合せた申請書類写真孔の内側に沿ってペンなどで線を引き、写真上に切取り線の枠が書けるものである。
本発明は、以上の構成によって、写真上に適したサイズ、位置に写真を切取る範囲の切取り枠線を引くことができるのである。
【発明の効果】
【０００５】  各申請書類に対応し、写真上に素早く適したサイズ、位置に写真を切取る範囲の枠線引くことができるので便利である。
【発明を実施するための最良の形態】
【０００６】  透明性の板（１）に、様々な申請書類が指定する大きさの申請書類写真孔（２）〜（６）を設ける。
【産業上の利用可能性】
【０００７】  本発明は、使用する運転免許証、履歴書、パスポート及びマイナンバー等の様々な申請書類の写真に対応するため、単品で雑貨店などの市場において販売を実施することも可能であるが、付属品として履歴書など各申請書類と共に販売を実施することも可能と考えられる。
【図面の簡単な説明】
【０００８】
【図１】本発明の正面図
【符号の説明】
【０００９】（１）  透明板
（２）  申請書類写真孔１
（３）  申請書類写真孔２
（４）  申請書類写真孔３
（５）  申請書類写真孔４
（６）  申請書類写真孔５
【図１】
2017205996.tif 000003
(57)【要約】      （修正有）【課題】原子力発電機が事故により、炉心が溶融し、圧力容器の下に落ちてメルトダウンした状態でも原子力発電機を完全停止すること。【解決手段】核分裂を停止させる為に、細かく裁断した、ヤニ入り糸はんだを冷却水に混ぜ、その冷却水を利用し、メルトダウンした核燃料を覆う、メルトダウンした核燃料の核分裂による発生する熱を利用しヤニ入り糸はんだを溶かし、はんだの毛細管現象があることで、メルトダウンした核燃料の内部に入ることで核分裂を停止する、核分裂を停止することで冷却水不要となる。【選択図】図１
2017044519.tif 000002
【特許請求の範囲】
【請求項１】
本発明はは原子力発電機が事故により、炉心が溶融し、圧力容器の下に落ちてメルトダウンしても核分裂による熱が発生する、核分裂を停止させる為に、細かく裁断した、ヤニ入り糸はんだを発生する熱を冷却するための冷却水に混ぜ、比重が水より大きいのでメルトダウンした核燃料を覆う、メルトダウンしても核分裂による発生する熱でヤニ入り糸はんだを溶かし、はんだの毛細管現象があることで、メルトダウンした核燃料の内部に入ることで核分裂を停止する、原子力発電機を完全停止させる方法。
【発明の詳細な説明】
【技術分野】
【０００１】
本考案は事故を起こしメルトダウンした原子力発電機の停止法。
【背景技術】
【０００２】
従来のは事故を起こした原子力発電機は水による冷却のみである。
【発明の開示】
【発明が解決しようとする課題】
【０００３】
原子力発電機の事故を中止させるために、水による冷却のみである、はんだには毛細管現象がある、主原料で鉛を利用する事で核分裂を終止させることで解決しようとすることを課題とする。
【課題を解決するための手段】
【０００４】
本考案は原子力発電機が事故により、炉心が溶融、圧力容器の下に落ちてメルトダウンした、核燃料が核分裂により熱が発生する、核分裂による発生する熱を冷却する為に冷却水を使用している、ヤニ入り糸はんだを小さく裁断し、冷却水と混ぜることで、メルトダウンした核燃料を冷却する為の冷却水が覆う、水より比重の大きいヤニ入り糸半田使用し、核燃料が核分裂により熱が発生している熱を利用市販だを溶かし、メルトダウンした核燃料を覆い、核燃料の核分裂を終止させる。
【発明の効果】
【０００５】
本考案は原子力発電機が事故により、核燃料が溶融し、圧力容器の下に落ちメルトダウンした核燃料が、核分裂による熱を発生する、核分裂による発生する熱を冷却する為に冷却水を使用している、、核分裂を終止させる為にヤニ入り糸はんだを小さく裁断し、冷却水と混ぜることで水より比重の大きい、ヤニ入り糸はんだを使用することで、メルトダウンした核燃料の上部を覆う、核分裂により発生する熱を利用し、ヤニ入り糸はんだを溶かし、はんだには毛細管現象があることで炉心の内部に入ることで核分裂を終止する、核分裂を停止できるので考案の効果があった。
【発明を実施するための最良の形態】
【０００６】
以下、本発明を図の具体例を用いて詳細に説明する
【０００７】
本発明の実施の形態を図の具体例用いて詳細に説明する、図１の１は原子炉圧力容器１Aは正常時には水蒸気出力用出口１Bは正常時には水注入口として使用している、冷却水を利用して、細かく裁断したヤニ入り糸半田を冷却水と混ぜて水注入口より圧力容器の内に注入する、２はメルトダウンした核燃料、３は水でメルトダウン時には冷却水用水、４は、ヤニ入り糸はんだで比重の大きい半田８．３よりヤニ入り糸はんだを使用することにで、比重が１以上軽くなることで直径０．８ミリ以上、長さ１ミリ以上でも冷却水と混ぜて水注入口より注入できる、また粉末はんだも使用出来る、４Aは、圧力容器の下に落ちてメルトダウンした状態の核燃料の上部を覆い、核分裂により発生する熱が１８３度以上であれば、半田は溶とけることで、メルトダウンした状態の核燃料の上部より毛細管現象があることでメルトダウンした核燃料のの内部に入ることで核分裂を終止させることで発明を実施するための形態となる
【図面の簡単な説明】
【０００８】
【図１】本発明の想像メルトダウンした核燃料した原子炉圧力容器断面正面図
【図２】稼動中の原子炉圧力容器断面正面図
【図３】停止中の原子炉圧力容器断面正面図
【符号の説明】
【０００９】
１    原子炉圧力容器
１A  水蒸気用出口
１B  水注入口
１C  再循環ループ
２    核燃料
３    冷却水
４    細かく裁断されたヤニ入り糸はんだでメルトダウンした核燃料の上を覆う
４A  メルトダウンした核燃料の熱で溶けたヤニ入り糸はんだ
【図１】
2017044519.tif 000003
【図２】
2017044519.tif 000004
【図３】
2017044519.tif 000005
(57)【要約】      （修正有）【課題】軽く細くても引っ張り強度、耐光性、摩耗に優れたテント張り用のロープ、紐の提供。【解決手段】１６打ち紐５を３つ撚りとしたロープにおいて、ビニロン糸に強力糸等を混合した混合集糸束７を１６打ち紐７、３つ撚りロープの芯、および表面に混合構成して尚、打ち込み少なく，撚りピッチを長く甘く作り、さらに、ロープ、紐に水溶性樹脂等を付着浸透して、紐、ロープの張り感を得て尚、切り口の糸のバラケを防ぐ構成の樹脂付着ロープ、紐。【選択図】図１
2017031541.tif 000002
【特許請求の範囲】
【請求項１】
［図１］に図示の混合集糸束（７）は従来のビニロン金剛打ち紐の弱点を補強する、ビニロン糸に強力糸等を混合して成る  混合集糸束（７）を１６打ち紐と３ツ撚りロープの表面と芯に混入構成して尚、打ち込み少なく，撚りピッチを長く甘く作った、ダラダラ甘打ちロープ、紐、（３の３）の混合構成。
【請求項２】
［図２］に示す、ダラダラ甘打ちロープ紐（３の３））を進行矢印（３）に従い、樹脂入り器（１）の水溶性樹脂等（８）を付着して、ロープ紐浮止具（４）を潜り抜けて成る樹脂、浸透、乾燥しての安全作業性  商品価値  向上の、樹脂付着ロープ紐（２）の構成。
【請求項３】
［図１］に示すエステルマルチ糸集糸束（７の７）をロープ、紐の表面に図示の如くに構成してロープ紐の磨耗  引っ張り強化  テントシートが風に吹かれバタバタと波打つ力でロープ紐の摩擦を防ぎ、ロープ紐を守る為の  エステルマルチ集糸束（７の７）の構成。
【発明の詳細な説明】
【技術分野】
【０００１】本案はテント張り用の紐、ロープの引っ張り強度と耐光性と摩耗の強化案です
【背景技術】
【０００２】従来から太く重く引っ張り強度の弱い、ビニロン金剛打ち紐  ロープを使用して居りました、本案の軽く細くても引っ張り強度、耐光性、摩耗に優れた、ロープ、紐を使用して経済性安全作業性の向上。
【先行技術文献】
【０００３】
【特許文献１】  特開２００７−２５４９４１号公報
【特許文献２】  特開２０１５−０５９２７６号公報
【発明の概要】
【発明が解決しようとする課題】
【０００４】従来からビニロン糸金剛打ち紐、ロープのビニロン糸は雨水に濡れると更に弱化します、その補強に強力ポリエチレン糸等の耐光性に優れた、黒色等４００Ｄ（デニール）１本にビニロン糸５番手３本から４本を混合集糸束した、混合集糸束（７）１４束にロープ紐の  摩耗引っ張り強化のため、エステルマルチ糸等集糸束（７の７）２束を図示［図１］の１６打ち紐切り口の断面と斜視図（５）の如くに構成して、紐の芯には混合集糸束（７）を投入構成。更に３つ撚りロープ、ストランドの図示［図１］の図示  ロープ紐切り口断面斜視図（６）の如く３本のストランドの表面に、混合集糸束（７）適数束に対しロープ紐の摩耗引っ張り強化の為  エステルマルチ糸等集糸束（７の７）１束をストランドの表面に投入構成、ストランドの芯には混合集糸束（７）を投入構成．更に引っ張り強度強化と生産性の向上の為１６打ち紐打ち込め少なくピッチを長く甘く、ロープも撚り長く甘くピッチは長く甘く作りますと引っ張り強度は強化しますがダラダラ甘く太く膨らみ、作業性  商品価値の下落を防ぐ為［図２］に図示の如く水溶性樹脂入り器（１）にダラダラ甘打ロープ紐（３の３）をロープ紐の進行方向矢印（３）に従い、ロープ紐浮上止具（４）を潜り抜けて水溶性樹脂等（８）を付着  浸透  乾燥して、ロープ、１６打ち紐の撚りピッチ長く甘打ちダラダラ膨らみ感、を解消しての樹脂付着ロープ紐（２）の経済性、安全作業性、商品価値等の向上。
【問題を解決するための手段】
【０００５】図示［図１］の如く１６打ち紐の表面に混合集糸束（７）１４束に加え、ロープ紐の摩耗引っ張り強化の為、エステルマルチ糸等集糸束（７の７）を２束を表面に構成，芯には混合集糸束（７）を投入構成。
ロープ、ストランド３本の表面に、ロープ  紐の摩耗引っ張り強化の為、エステルマルチ糸等集糸束（７の７）１束を混合集糸束（７）と共に表面に投入構成、ストラン３本の芯には混合集糸束（７）を投入構成。を撚りピッチを長く甘く作り［図２］に図示の如く水溶性樹脂にり器（１）にダラダラ甘打ロープ紐（３の３）をロープ紐の進行方向（３）に従いロープ紐浮上止め具（４）を潜り抜け、水溶性樹脂（８）を付着浸透、乾燥してロープ、紐のダラダラ甘打ち膨らみ感を解消しての樹脂付着ロープ紐（２）の経済性、安全作業性，商品価値らの向上。
発明の効果
【０００６】従来案と本案の強度、経済性の比較、効果の説明を致します
従来のビニロン金剛打紐太さ５ｍｍ１ｍ重さ１１，５ｇ引っ張り強度１５９Ｋｇに対し。
本案１６打ち紐  太さ５ｍｍ  １ｍの重さ１３，０ｇ  引っ張り強度３４０Ｋｇ
本案１６打ち紐  太さ４ｍ  １ｍの重さ  ９，０ｇ  引っ張り強度２３９ｋｇ
紐、ロープの１ｍの重さと引っ張り強度の計算説明を致します。
従来のビニロン金剛打ち５ｍｍ引っ張り強度１５９ｋｇ÷１ｍ重さ１１，５ｇ＝１３，８２ｇ、
本案、１６打ち紐５ｍｍ引っ張り強度３４０ｋｇ÷１ｍ重さ１３，０ｇ＝２６，１５ｇ
本案  １６打ち紐４ｍｍ引っ張り強度２３９ｋｇ÷１ｍ重さ９，０ｇ＝２６，５５ｇと約５０パーセントの強化、
尚、３つ撚りビニロンロープ５ｍｍの強度は通常『日本工業規格』１ｍの重さ１６、５ｇ引っ張り強度２４０ｋｇですが撚りピッチを３０％長く甘く作れば１００ｍが約１３０ｍに。重量も１，６５０ｋｇが  約１，１５５ｋｇに引っ張り強度も２４０ｋｇが約２５５ｋｇとロープも紐も打ち込み、少なく甘く撚りピッチを長く甘く、樹脂付着ロープ紐（２）を乾燥の結果の効果は説明の如くです、経済性、安全作業性  商品価値の向上です。
【図面の簡単な説明】
【０００７】
【図１】１６打ち組紐切り口断面と、斜視図（左）。ロープ切り口断面、と斜視図（右）。
【図２】ロープ組紐の樹脂入り器を通過  断面図。
【発明を実施するための形態】
【０００８】従来、テント張り、テントシートは常に板状に平らを保ち雨水を貯めず、流れ安くを保つため、雨水に濡れ乾きに変化なく，日々年々収縮作用する素材を引っ張り強度  耐光性  摩耗に優れた、ビニロン、エステル、引っ張り強度、耐光性  摩耗に優れた、ポリエチレン等をビニロンを主体に適量に混合した、混合集束糸（７）を１６打ち紐、ロープの表面に芯に混入構成して作り、軽く細くても引っ張り強度、耐光性  摩耗に優れた本案をテント張りに使用すれば経済性，安全作業性の向上に役立ちます。
【符号の説明】
【０００９】    １  樹脂入り器
２  樹脂付着ロープ、紐
３  ロープ、紐の進行方向，矢印
３の３  ダラダラ甘打ちロープ紐
４  器底  ロープ、紐  浮上止め具
５  １６打ち紐切り口の断面と斜視図
６  ロープ切り口断面と斜視図
７の７  エステル、マルチ糸集糸束
７  混合集糸束
８  水溶性樹脂
９  （７）混合集糸束と（７の７）エステル集糸束表面露出図
【図１】
2017031541.tif 000003
【図２】
2017031541.tif 000004
(57)【要約】      （修正有）【課題】従来のコンクリートより風化に強く、自然石より強い油石の提供。【解決手段】セメント、砂、土、ガレキ、水とペンキ油を混合し、３日乃至４日養生して硬化させた油石で、従来のコンクリートの持つ粘りがなく脆いという欠点をなくすと共に、自然石の４倍の強度を持つ。【選択図】図２
2017031038.tif 000002
【特許請求の範囲】
【請求項１】
油ペンキ８セメン３砂４水あんこ状に土、ガレキを良くまぜて固めてつくたコンクリー内の油である
（たて５ｃｍ５ｍｍ横１４、ｍｍ２分高さ２、２ｍｍ）
【発明の詳細な説明】
【技術分野】
【０００１】コンクリートウ内の油私しはコンリトーウの中にも油がないとコンクリ自身が風化されやすいと思いつくりました
【背景技術】
【０００２】従来のコンクリトーでは早く風化されもろくなる
【発明の概要】
【発明が解決しようとする課題】
【０００３】これは次のような欠点があった
従来のコンクリトーウはねばりがなくもろく三十年〜五十年くらいまであった。本発明は以上のような欠点をなくすためにつくられたものである
【課題を解決するための手段】
【０００４】ペンキ油とセメントと砂とガレキと水でつくたコンクリトウ内の油である
【図面の簡単な説明】今までのコンクリトーは骨があっても油がない為もろい私しが、つくた油石はフートーの半分の大きさで自然石１５ｋｇ強い【０００５】横１４、２ｍｍ厚さ２、２ｍｍたて５ｃｍ５ｍｍの油石は自然石より強い４倍
【図１】
2017031038.tif 000003
【図２】
2017031038.tif 000004
【手続補正書】
【提出日】平成27年11月2日(2015.11.2)
【手続補正１】
【補正対象書類名】明細書
【補正対象項目名】０００４
【補正方法】変更
【補正の内容】
【０００４】セメントと砂とガレキの粉と水とペンキ油でつくたコンクリト内の油であるペンキの量は固めのあんこ状に表す量である四日かん天日にほうちにして固めた油石である【図１】実物と変わらずの大きさと強さを表わした油石であります
【図２】きゅう熱、きゅう冷して高さ２ｍより投げて強さを計ったものです３倍大きい自然石はわれました私しのつくた油石はわれません
(57)【要約】【課題】  従来の記憶ペンの情報の再現には、パソコン等のペン以外の物が必要になってくるので、介護現場、医療現場、災害現場等では急なメモが必要となったときにそれをすぐに確認することが困難である。また従来の通常のボールペンも、紙やノート、ボード等の媒体を必要とするために、それらが手元にない場合は手に書いたりしていて、確認したいときには消えていたりすることがあった。本発明は、以上の問題点の解決を目的とする。【解決手段】ペン先より位置検知センサーを発し、本体が紙や壁あるいは人体（皮膚）または衣類などの表面に接触、あるいは接近した場合に相対的な位置関係を取得する。センサーが取得した位置情報は、本体に内蔵されたメモリーに軌跡として保存される。メモリーに保存された軌跡情報は、必要に応じて、本体側面の表示部分に表示される。【選択図】図１
2017204258.tif 000002
【特許請求の範囲】
【請求項１】
位置検知センサー部Ａと，表示部Ｂから構成される記録補助器具としての空中ペン。
【請求項２】
位置検知センサーは、本体が、紙や壁あるいは人体（皮膚）または衣類などの表面に接触あるいは近接した場合に相対的な位置関係を取得する請求項１の空中ペン。
【請求項３】
センサーが取得した位置情報は、本体に内蔵されたメモリーに軌跡として保存される請求項１又は請求項２の空中ペン。
【請求項４】
メモリーに保存された軌跡情報は、必要に応じて、本体側面のＢに表示される請求項１又は請求項２又は請求項３の空中ペン。
【請求項５】
入力者が、文字あるいは記号あるいは何らかの意味を持つ動きを、本体の動きとして記憶させておき、後で表示することで、あたかも紙にメモしたのと同様のことが、この本体（空中ペン）のみで実現できる請求項１又は請求項２又は請求項３又は請求項４の空中ペン。
【発明の詳細な説明】
【技術分野】
【０００１】本発明は、紙やノート、ボード等の媒体を必要とせず、情報を記憶する、空中ペンに関するものである。
【背景技術】
【０００２】従来、記憶した情報をパソコン等、ペン以外の物を通して情報を再現していた。
従来、通常のボールペンでは、紙や、ノート等の媒体を必要としていた。
【先行技術文献】
【特許文献】
【０００３】
【特許文献１】特開２００１−１０５７８６号公報
【発明の概要】
【発明が解決しようとする課題】
【０００４】デジタル記録された情報の再現には、パソコン等のペン以外の物が必要になってくるので、介護現場、医療現場、災害現場等では急なメモが必要となったときに、それをすぐに確認することが困難である。また、従来の通常のボールペンも、紙やノート、ボード等の媒体を必要とするために、それらが手元にない場合は手に書いたりしていて、確認したい時には消えていたりすることがあった。本発明は、以上の問題点を解決するためになされたものである。
【問題を解決するための手段】
【０００５】ペン先に内蔵された位置検知センサーを使い、本体が、紙や壁あるいは人体（皮膚）または衣類などの表面に接触、あるいは接近した場合に、相対的な位置関係を取得する。センサーが取得した位置情報は、本体に内蔵されたメモリーに軌跡として保存される。メモリーに保存された軌跡情報は、必要に応じて、本体側面の表示部分に表示される。
【発明の効果】
【０００６】入力者が、文字あるいは記号あるいは何らかの意味を持つ動きを本体の動きとして記憶させておき、後で表示することであたかも紙にメモしたのと同様のことが、この本体（空中ペン）のみで実現できる。紙やノート、ボードなどの媒体を必要としないため筆記用具を携帯するのに比べて簡便かつ軽量である。また、記憶を紛失する可能性が低くなる。
【図面の簡単な説明】
【０００７】
【図１】本発明の側面図
【図２】本発明の表示部を表した側面図
【発明を実施するための形態】
【０００８】以下、本発明の実施の形態を説明する。
（イ）本体の先端部より位置検知センサーを発する部分を設ける。
（ロ）保存されたメモリーを表示する表示部分を設ける。
本発明は以上のような構造である。
本発明を使用するときは、本体を入力者が文字あるいは記号あるいは何らか意味を持つ動きを本体の動きとして位置検知センサーＡの動きで記憶させておき、その記憶させた情報を表示部分Ｂに表示させる。
【符号の説明】
【０００９】Ａ  位置検知センサー部、Ｂ  記憶情報表示部
【図１】
2017204258.tif 000003
【図２】
2017204258.tif 000004